(57)【要約】【課題】  位置に関して広告を優先順位付けするための方法及びシステムを提供すること。【解決手段】  位置に関して広告を優先順位付けするための方法及びシステムが提供される。本方法は、該位置にいる１人以上の人物を識別することと、該位置に関して、製品集合に関連付けられた広告集合を識別することと、１人以上の人物について、該人物が製品集合の各々を推奨する又は批判する尤度を示すスコアを判定することと、集合の中の広告を、広告の製品に関する１人以上の人物の総計スコアに従って優先順位付けすることと、を含む。本方法はまた、該位置にいる広告の対象とすべきターゲット人物を識別することを含むことができ、この場合、１人以上の人物のスコアを判定することは、ターゲット人物を排除する又は重み付けする。【選択図】      図２
2015531131.tif 000002
【特許請求の範囲】
【請求項１】
位置に関して広告を優先順位付けするための方法であって、
前記位置にいる１人以上の人物を識別すること（２０２）と、
前記位置に関して、製品集合に関連付けられた広告集合を識別すること（２０１）と、
前記位置にいる、前記広告の対象とすべきターゲット人物を識別すること（２０５）と、
前記１人以上の人物について、該人物が前記製品集合の各々を推奨する又は批判する尤度を示すスコアを判定すること（２０３、２０６、２０７）であって、前記１人以上の人物の前記スコアを判定すること（２０７）が、前記ターゲット人物を除外する又は重み付けする、ことと、
前記集合の中の前記広告を、前記広告の前記製品に関する前記１人以上の人物の総計スコアに従って優先順位付けすること（２０８）と、
を含む方法。
【請求項２】
前記スコアを判定すること（２０３）は、ある製品に関するある人物のネット・プロモーター・スコア又はその他の形態の既存の支持スコアを探索する、請求項１に記載の方法。
【請求項３】
前記位置は、物理的位置又は仮想位置の群のうちの１つである、前記請求項のいずれかに記載の方法。
【請求項４】
前記集合の中の前記広告を前記総計スコアに従って優先順位付けすること（２０８）は、付加的ファクタに基づいて前記スコアに重み付けすることを含む、前記請求項のいずれか１項に記載の方法。
【請求項５】
前記１人以上の人物間、又はターゲット人物と前記１人以上の人物との間の関係の強さを判定することと、
前記製品に関する前記人物の前記スコアの重み付けにおいて、前記関係の強さを用いることと、
を含む、請求項４に記載の方法。
【請求項６】
前記総計スコアの計算に影響を与える、候補広告に関する特性を設定すること、
を含む、前記請求項のいずれか１項に記載の方法。
【請求項７】
前記１人以上の人物の気分を識別し、これを、前記広告を優先順位付けすること（２０８）においてファクタとして用いること、
を含む、前記請求項のいずれか１項に記載の方法。
【請求項８】
前記１人以上の人物の集団的気分を識別し、これを、前記広告を優先順位付けすること（２０８）においてファクタとして用いること、
を含む、前記請求項のいずれか１項に記載の方法。
【請求項９】
製品に関する広告が呈示されたときにその場にいる人物の記録を保持することと、
以前の前記製品の推薦又は批判に基づいて前記広告を優先順位付けすること（２０８）におけるファクタとして、前記記録にアクセスすることと、
を含む、前記請求項のいずれか１項に記載の方法。
【請求項１０】
広告の呈示後に製品に対して為された購入、及び、その場にいた人物の記録を保持することと、
以前の前記製品の販売実績に基づいて前記広告を優先順位付けすること（２０８）におけるファクタとして、前記記録にアクセスすることと、
を含む、前記請求項のいずれか１項に記載の方法。
【請求項１１】
異なる位置にいる２人以上のターゲット人物を識別することと、
各位置の前記総計スコアに基づいて前記ターゲット人物のうちの誰に広告を呈示するかを決定することと、
を含む、前記請求項のいずれか１項に記載の方法。
【請求項１２】
位置に関して広告を優先順位付けするためのシステムであって、
前記位置にいる１人以上の人物を識別するための人物識別コンポーネント（３１３）と、
前記位置にいる前記広告の対象とすべきターゲット人物を識別するためのターゲット人物判定コンポーネント（３１５）と、
前記位置に関して、製品集合に関連付けられた広告集合を識別するための候補広告コンポーネント（３１１）と、
前記１人以上の人物について、該人物が前記製品集合の各々を推奨する又は批判する尤度を示すスコアを判定するためのスコア取得コンポーネント（３１４）であって、前記スコア取得コンポーネント（３１４）が、前記ターゲット人物を除外して又は重み付けして前記１人以上の人物のスコアを判定するように動作可能である、スコア取得コンポーネント（３１４）と、
前記集合の中の前記広告を、前記広告の製品に関する前記１人以上の人物の総計スコアに従って優先順位付けするための優先順位付けコンポーネント（３１７）と、
を含むシステム。
【請求項１３】
前記スコアを判定するためのスコア取得コンポーネント（３１４）は、ある製品に関するある人物のネット・プロモーター・スコア又はその他の形態の既存の支持スコアを探索する、請求項１２に記載のシステム。
【請求項１４】
前記集合の中の前記広告を前記総計スコアに従って優先順位付けするための優先順位付けコンポーネント（３１７）は、付加的ファクタに基づいて前記スコアに重み付けすることを含む、請求項１２又は請求項１３のいずれかに記載のシステム。
【請求項１５】
製品に関する広告が呈示されたときにその場にいる人物の記録を保持するため、並びに、広告の呈示後に製品に対して為された購入、及び、その場にいた人物の記録を保持するための、データベース更新コンポーネント（３１８）を含む、請求項１２乃至請求項１４のいずれか１項に記載のシステム。
【請求項１６】
位置に関して広告を優先順位付けするためのコンピュータ・プログラム製品であって、
処理回路により読み出し可能であり、請求項１乃至請求項１１のいずれかに記載の方法を実施するために前記処理回路が実行する命令を格納するコンピュータ可読ストレージ媒体を含む、コンピュータ・プログラム製品。
【請求項１７】
コンピュータ可読媒体上に格納され、デジタル・コンピュータの内部メモリにロードすることが可能なコンピュータ・プログラムであって、前記プログラムがコンピュータ上で実行されたときに請求項１乃至請求項１１のいずれかに記載の方法を実施するためのソフトウェア・コード部分を含む、コンピュータ・プログラム。
【発明の詳細な説明】
【技術分野】
【０００１】
本発明は、ある位置に広告を提供する分野に関する。特に、本発明は、位置に関して広告を優先順位付けすることに関する。
【背景技術】
【０００２】
製品販売は、その製品に関する消費者同士のコミュニケーションによって大いに影響を受ける。１人以上の消費者が別の消費者に製品を推薦すると、購入の確率は高くなる。１人以上の消費者が別の消費者に対して製品を非難(deprecate)すると、購入の確率は低くなる。
【０００３】
企業は推奨者（ｐｒｏｍｏｔｅｒ）である消費者の数を増やし、非難者（ｄｅｐｒｅｃａｔｏｒ）である消費者の数を減らすことに傾注している。企業はこれを、より良い製品を供給すること、消費者の苦情に対する対処の有効性を改善すること、不満足な製品体験に対して補償を提供すること、等によって行う。推奨者が増え、非難者が減ると、その製品の潜在的な新規消費者が推薦を耳にする可能性が高くなり、非難を耳にする可能性は低くなる。
【０００４】
しかしながら、宣伝広告する際に不運な出来事がある。例えば、批判者（ｄｅｔｒａｃｔｏｒ）が存在する状態で人々に製品をやみくもに広告してしまい、それが裏目に出て、広告内の製品推薦が、その場にいる人々の間での製品に批判的な会話を促すという蓋然性により、単にその製品推薦が否定されるにとどまらない事態となることがある。
【０００５】
機会を逸することもある。例えば、推奨者が存在する状態で人々に製品が広告される可能性は、その他の場合に比べて特に高いわけではない。従って、その場にいる人々の間で推薦的な会話を促す機会は、ほとんど活用されていない。
【０００６】
従って、当該技術分野において、上記の問題に対処する必要がある。
【発明の概要】
【発明が解決しようとする課題】
【０００７】
本発明の目的は、位置に関して広告を優先順位付けするための方法及びシステムを提供することである。
【課題を解決するための手段】
【０００８】
本発明の第１の態様によれば、位置に関して広告を優先順位付けするための方法であって、該位置にいる１人以上の人物を識別することと、該位置に関して、製品集合に関連付けられた広告集合を識別することと、該位置にいる広告の対象とすべきターゲット人物を識別することと、１人以上の人物について、該人物が製品集合の各々を推奨する又は批判する尤度(likelihood)を示すスコアを判定することであって、１人以上の人物のスコアを判定すること（２０７）が、ターゲット人物を排除する又は重み付けする、ことと、集合の中の広告を、広告の製品に関する１人以上の人物の総計スコアに従って優先順位付けすること（２０８）と、を含む方法が提供される。
【０００９】
スコアを判定することは、ある製品に関するある人物のネット・プロモーター・スコア又はその他の形態の既存の支持スコアを探索することができる。代替的に、既存のスコアが利用できない場合は、ある人物がある製品を推奨する又は批判する尤度のスコアを推定することができる。
【００１０】
位置は、物理的位置又は仮想位置の群のうちの１つとすることができる。
【００１１】
集合の中の広告を総計スコアに従って優先順位付けすることは、付加的ファクタに基づいてスコアに重み付けすることを含むことができる。
【００１２】
本方法はまた、１人以上の人物間、又はターゲット人物と１人以上の人物との間の関係の強さを判定することと、製品に関する人物のスコアの重み付けにおいて、関係の強さを用いることと、を含むことができる。
【００１３】
本方法はまた、総計スコアの計算に影響を与える、候補広告に関する特性を設定することを含むことができる。
【００１４】
１つの実施形態において、本方法はまた、１人以上の人物の気分を識別し、これを、広告を優先順位付けすることにおいてファクタとして用いることを含むことができる。更なる実施形態として、本方法はまた、１人以上の人物の集団的気分を識別し、これを、広告を優先順位付けすることにおいてファクタとして用いることを含むことができる。
【００１５】
本方法は、製品に関する広告が呈示されたときにその場にいた人物の記録を保持することと、以前の製品の推薦に基づいて広告を優先順位付けすることにおけるファクタとして、該記録にアクセスすることと、を含むことができる。さらにまた、本方法は、広告の呈示後に製品に対して為された購入、及び、その場にいた人物の記録を保持することと、以前の製品の販売実績に基づいて広告を優先順位付けすることにおけるファクタとして、該記録にアクセスすることと、を含むことができる。
【００１６】
１つの実施形態において、本方法は、異なる位置にいる２人以上のターゲット人物を識別することと、各位置の総計スコアに基づいてターゲット人物のうちの誰に広告を呈示するかを決定することと、を含むことができる。例えば、これは、ターゲット人物にコールド・コールを行うときに実行することができる。
【００１７】
本発明の更なる態様によれば、位置に関して広告を優先順位付けするためのシステムであって、該位置にいる１人以上の人物を識別するための人物識別コンポーネントと、該位置にいる広告の対象とすべきターゲット人物を識別するためのターゲット人物判定コンポーネントと、該位置に関して、製品集合に関連付けられた広告集合を識別するための候補広告コンポーネントと、１人以上の人物について、該人物が製品集合の各々を推奨する又は批判する尤度を示すスコアを判定するためのスコア取得コンポーネントであって、ターゲット人物を排除して又は重み付けして１人以上の人物のスコアを判定するように動作可能である、スコア取得コンポーネントと、集合の中の広告を、広告の製品に関する１人以上の人物の総計スコアに従って優先順位付けするための優先順位付けコンポーネントと、を含むシステムを提供することができる。
【００１８】
スコアを判定するためのスコア取得コンポーネントは、ある製品に関するある人物のネット・プロモーター・スコア又はその他の形態の既存の支持スコアを探索することができる。
【００１９】
集合の中の広告を総計スコアに従って優先順位付けするための優先順位付けコンポーネントは、付加的ファクタに基づいてスコアに重み付けすることを含むことができる。
【００２０】
本システムは、製品に関する広告が呈示されたときにその場にいる人物の記録を保持するため、並びに、広告の呈示後に製品に対して為された購入、及び、その場にいた人物の記録を保持するための、データベース更新コンポーネントを含むことができる。
【００２１】
更なる態様の観点から、本発明は、位置に関して広告を優先順位付けするためのコンピュータ・プログラム製品であって、処理回路により読み出し可能であり、本発明のステップを実施する方法を実施するために処理回路が実行する命令を格納するコンピュータ可読ストレージ媒体を含む、コンピュータ・プログラム製品を提供する。
【００２２】
更なる態様の観点から、本発明は、コンピュータ可読媒体上に格納され、デジタル・コンピュータの内部メモリにロードすることが可能なコンピュータ・プログラムであって、該プログラムがコンピュータ上で実行されるときに本発明のステップを実施するためのソフトウェア・コード部分を含む、コンピュータ・プログラムを提供する。
【００２３】
本発明の上記態様は、他者による推薦に好都合な環境にいる潜在的な顧客に広告を自動的に配信し、他者による批判に好都合な環境にいる潜在的な顧客への広告の配信を自動的に防止するという利点を提供する。これは、より効率的に的を絞った顧客への広告を行うことにより販売実績を伸ばすことができるような製品の供給業者にとって、価値を有するであろう。
【００２４】
本発明と見なされる主題は、本明細書の結論部分の特許請求の範囲において具体的に指摘され、明確に特許請求される。本発明は、以下の詳細な説明を添付の図面と併せて読んだときに参照することにより、その構成及び動作方法の両方に関して、その目的、特徴、及び利点と共に、最も良く理解することができる。
【００２５】
ここで本発明の好ましい実施形態を例示のみを目的として添付の図面を参照として説明する。
【図面の簡単な説明】
【００２６】
【図１】本発明によるシステムの１つの実施形態の概略図である。
【図２】本発明によるシステムのもう１つの実施形態の概略図である。
【図３】本発明による方法の例示的な実施形態のフロー図である。
【図４】本発明によるシステムの例示的な実施形態のブロック図である。
【図５】本発明を実装することができるコンピュータ・システムの一実施形態のブロック図である。
【発明を実施するための形態】
【００２７】
説明を簡単かつ分かりやすくするために、図中に示される要素は必ずしも縮尺通りに描かれていないことが認識されよう。例えば、要素のうちの幾つかのものの寸法は、分かりやすくするために他の要素に比べて拡大されている場合がある。さらに、妥当であると考えられる場合には、対応する又は類似した特徴を示すために、図面間で参照符号が繰り返されている場合がある。
【００２８】
以下の詳細な説明において、本発明の完全な理解を与えるために、多数の特定の詳細が記述されている。しかしながら、当業者であれば、本発明はこれらの特定の詳細がなくても実施することができることを理解するであろう。他の例において、周知の方法、手順、及び構成要素は、本発明を不明瞭にしないように、詳細に説明されていない。
【００２９】
ある位置において呈示する広告を、その位置にいる人が、ターゲットにされる人に製品を推薦する又は非難する可能性の程度に基づいて自動的に優先順位付けするための方法及びシステムが提供される。その場にいる人が製品を推薦する可能性が高い時及び場所で広告を行うことにより、人から人への製品推薦が促される。その場にいる人が製品を批判する可能性が高い時及び場所で広告を行わないことにより、人から人への製品批判が回避される。このような手法で、広告の有効性（例えば、販売実績という結果に表れる）が高められる。
【００３０】
広告の呈示（ｄｉｓｐｌａｙ）は、多くの異なる形態を含むことができる。例えば、画像及び／又はテキストを含む静的呈示、ビデオの再生、音声の再生、又は、テキスト、音声、ビデオ及び／又は画像を含むデータの送信などである。呈示はまた、触覚的呈示、例えば点字を含むことができる。
【００３１】
広告の呈示はまた、香りの放出を含むこともできる。例えば、２人の消費者が香水を販売する店舗ブースを通り過ぎるとして、このブースが多数の香りのうちの１つをオンデマンドで放出するシステムを有している場合、該システムは、これらの人々のうちの１人がその香りを好むことを知ることができ、その人が放出された香りをその場にいる他の人に推薦する可能性を高めるためにその香りを放出することができるかもしれない。
【００３２】
広告の呈示はまた、環境調節を含むこともできる。例えば、より暑く又は寒くすることで、おそらくは特定の携帯型電気ヒータのブランドを推薦する確率が高まる。
【００３３】
さらに、広告がその位置にいる特定の人物をターゲットとする（例えば、携帯電話のような個人用装置を介した個別配信による）場合、その場にいる他の人物がその製品を推薦又は非難する確率を考慮することになるであろう。
【００３４】
「位置」は、物理的の場合もある（例えば、電子広告掲示板の側を歩いている人々、映画館にいる人々、又は同じ室内でテレビを視聴している人々）。「位置」はまた、仮想的位置の場合もある（例えば、インターネットのチャットルームで通信している人々）。広告を呈示する機会が存在する時及び場所では、その機会に適合するよりも多くの候補広告が一般に存在する。これは、所与の時間内又は所与のスペース内に適合すべきであり得る。従って、候補広告を優先順位付けして、どの広告をその機会において呈示するかを決定することが有利である。
【００３５】
上記方法及びシステムは、そこで広告が行われる候補となっている同じ位置に同じ時にいる人々の推奨／批判の尤度の値又はスコアに基づいて、広告を優先順位付けする。
【００３６】
特定の時に特定の位置で行われる候補である広告を、その位置にいる人々による広告対象製品の推薦又は批判の尤度のスコアに基づいて優先順位付けすることができる。このスコアを、製品に関する推奨／批判尤度スコアと呼ぶ。
【００３７】
例えば、ネット・プロモーター・スコア（ＮＰＳ）（ネット・プロモーター・スコア（Ｎｅｔ  Ｐｒｏｍｏｔｅｒ  Ｓｃｏｒｅ）及びＮＰＳは、Ｆｒｅｄ  Ｒｅｉｃｈｅｌｄ及びＳａｔｍｅｔｒｉｘ  Ｓｙｓｔｅｍｓ，Ｉｎｃ．の商標である）は、顧客ロイヤルティ（顧客忠誠度）を測定するための公知の方法である。この方法の主要概念は、顧客ロイヤルティを「あなたが（企業名／製品）を友人又は同僚に推薦する可能性はどのくらいですか？」という単一の質問に対する回答によって最も良く予測することができる、というものである。回答者は、０（可能性は全くない）から１０（可能性は非常に高い）までのスケールで回答する。この質問に対する応答に基づいて、回答者を推奨者（９〜１０）、中立者（７〜８）又は批判者（０〜６）にカテゴリ分けする。ある企業又は製品のネット・プロモーター・スコアは、推奨者の百分率から批判者の百分率を差し引いたものである。
【００３８】
多くの企業が、より成功するようになるため及び顧客を絞り込む（ｃｕｓｔｏｍｅｒ  ｆｏｃｕｓｅｄ）ようになるための手段として、ネット・プロモーター・スコアを信頼し、その向上に投資している。この信頼は、「ある企業／製品を友人又は同僚に推薦する可能性が高い」と言う個人が多いほど、その製品が成功する可能性が高いという仮定に基づく。公平な個人の推薦は、製品が成功する最良の道筋であると常に認識されているので、良好なネット・プロモーター・スコアが公平な推薦の尤度を高めるならば、企業のネット・プロモーター・スコアの向上に努めることは十分に意義がある。
【００３９】
ネット・プロモーター・スコアの代替としては、Ｒｅｄ  Ｓｈｉｆｔ  Ｒｅｓｅａｒｃｈのカンパニー・ヘルスケア・チェック・インデックス（Ｃｏｍｐａｎｙ  Ｈｅａｌｔｈ  Ｃｈｅｃｋ  Ｉｎｄｅｘ）のネット・エンドーサー（Ｎｅｔ  Ｅｎｄｏｒｓｅｒ）スコア、及びその他の製品推薦又は批判の尤度の尺度が挙げられる。
【００４０】
さらに、古典的ＮＰＳ（又は等価物）が利用できない場合には、推奨／批判尤度スコアの推定スコア（消費者と企業及び／又は製品との間の関係に関する他の測定規準から推定される）を用いることができる。
【００４１】
広告が行われ得る媒体としては、テレビ、ラジオ、ハンドセット、コンピュータ、経路ナビゲーション装置、携帯電話、映画、インターネット、インスタント・メッセージング、広告掲示板、音声サービス、テキスト・サービスなどが挙げられるが、これらに限定されない。
【００４２】
正味の推奨者（ネット・プロモーター）とターゲット視聴者とが一緒にいることを判定するために用いられる方法は、既存の（及び同意された）スマートフォン及びインターネット追跡サービス、及び、例えば顔認識を含むその他の多くの形態を含むことができる。
【００４３】
図１及び図２を参照すると、概略図１００、１５０は、上記システムの実施形態を示す。
【００４４】
図１を参照すると、所与の位置１１０に複数の人物１０１Ａ〜１０３Ａが存在し得る。所与の時間に行われる複数の候補広告１２１〜１２３を有する広告媒体１２０Ａを位置１１０に設けることができる。上記システムは、その位置にいる人物１０１Ａ〜１０４Ａが、広告対象製品をターゲットにされる人物に推薦する又は非難する可能性があるかどうかの判定に基づいて、候補広告１２１〜１２３を自動的に優先順位付けするための方法を提供する。
【００４５】
図２を参照すると、類似のシナリオが示されているが、広告媒体１２０Ｂは、位置１１０にいるターゲット人物１０４Ｂに特定的に向けられている。このシナリオにおける上記システムは、その位置にいる、ターゲット人物１０４Ｂ以外の人物１０１Ｂ〜１０３Ｂが広告対象製品をターゲット人物１０４Ｂに推薦する又は非難する可能性があるかどうかの判定に基づいて、候補広告１２１〜１２３を自動的に優先順位付けするための方法を提供する。
【００４６】
図３を参照すると、フロー図２００は、上記方法の例示的な実施形態を示す。
【００４７】
所与の広告位置及び時間に関して、候補広告を提供する又は識別すること２０１ができる。
【００４８】
その位置にいる１人以上の人物の識別情報を取得すること２０２ができる。これは、多くの異なる手法で行うことができる。例えば、物理位置は、ある種のオプトイン・サービスの一環として自身の位置を明らかにすることをその人物が事前選択している携帯電話を持った人物を含む場合がある。別の例において、同じインターネット・チャットルーム内の人物は、ログイン時に認証されている場合がある。更なる例において、電話会議の参加者は、発信者ＩＤによって識別されているはずである。ある物理位置にいる人物の識別情報は、テレコム・サービス・プロバイダから、位置ベースのサービスのサーバに照会することによって入手することができる。
【００４９】
各々の識別された人物（存在する場合）について、候補広告の中で広告されている各々の製品に関する推奨／批判尤度スコア（例えば、ネット・プロモーター・スコア（ＮＰＳ））を取得すること２０３ができる。スコアは、製品を広告する企業から、例えば製品を広告する企業が供給するデータベースに照会することによって、入手することができる。
【００５０】
所与の位置に別の識別された人物がいるかどうか判定すること２０４ができる。いる場合には、方法は、その人物に関する推奨／批判尤度スコアを取得する２０３ようにループすることができる。いない場合には、方法は先に進むことができる。
【００５１】
次いで、広告に対するターゲット人物（図２を参照して説明したような）がいるかどうか判定すること２０５ができる。
【００５２】
広告に対するターゲット人物がいない場合には、各候補広告について、その場にいる人々の総計推奨／批判尤度スコアを計算すること２０６ができる。
【００５３】
広告に対するターゲット人物がいる場合には、方法は、各候補広告について、その場にいる人々の総計推奨／批判尤度スコアを計算すること２０７ができるが、但し、広告対象製品の潜在的な購入者として特定的に識別された、任意の、その場にいる人物の推奨／批判尤度スコアは、無視するか、又は、設定された、より高い又は低い重みを適用する。なぜなら、その人物が、その場にいる他の人々からの推薦又は批判のターゲットとなる可能性がある人物であるからである。ターゲット人物の最も近くに居る人物には、より高い重みを適用することができる。
【００５４】
候補広告は、総計推奨／批判尤度スコアによって優先順位付けすること２０８ができ、最高総計推奨／批判尤度スコアを有する候補広告に最高優先順位が割り当てられる。
【００５５】
この時点で、システムは、広告機会に適合する最高優先順位の広告を提示するための既存の機能を用いて続行することができる。
【００５６】
スコア付けプロセスを強化するために、付加的な特徴を設けることができる。
【００５７】
候補広告の優先順位付けは、広告の総計推奨／批判尤度スコアに基づいた優先順位付けと組み合わせて他の優先順位付けファクタを考慮するように強化することができる。この方法は、異なるファクタに異なる（設定された）重みを適用して総合優先順位を計算することができる。異なる優先順位付けファクタという複雑な事例に対処するのみならず、この方法はまた、利用可能なスコア・データが存在しないので推奨／批判尤度スコアがファクタにならない（従って、総合優先順位付けの判定において重みを課されることがない）ような、単純な境界事例にも対処することができる。
【００５８】
他の優先順位付けファクタは、製品を推薦／批判する人物のカテゴリに依存するものとすることができる。例えば、人々は、製品に応じて特定の人々からより大きな影響を受ける。女性は、ベビー用品に関して、女性からより大きな影響を受け得る。男性は、自動車用品に関して、男性からより大きな影響を受け得る。
【００５９】
更なる優先順位付けファクタは、ターゲット人物のカテゴリ、又はターゲット人物に関する情報を含むことができる。例えば、ターゲットにされる人物がその製品を購入する可能性が高いカテゴリに入っていること、又は、ターゲットにされる人物が広告対象製品によって補完されるような他の製品を最近購入したという情報などである。
【００６０】
別の実施形態において、その場にいる人物間の関係の程度を判定することができる（例えば、友人同士であるかどうかを調べるためにソーシャル・ネットワーキング・サイトを自動的にチェックすること、インターネット通信のテキスト分析、電話通話の詳細記録の分析、等による）。ひとたび判定されると、これを用いて、総計スコアを判定する際に各人物の推奨／批判尤度スコアの影響に重み付けすることができる。更なる実施形態において、各広告は、総計推奨／批判尤度スコアの判定に影響を与える設定された特性を有することができる。例えば、１つの広告は、１つの低スコアが、そのグループに含まれる多数の高スコアよりも遥かに大きな影響を総計スコアに与えるように設定することができる。例えば、これは「１人でも批判者がその場にいたら広告を行ってほしくない」という趣意の広告者の要求を満たすことができる。
【００６１】
潜在的な製品推奨者の一時的な気分又は感情状態は、その人達が製品を推奨する確率及び程度に影響を与えることがある。更なる実施形態は、既にスコアを取得した各人物について、一時的な気分で変化した推奨／批判尤度スコアを計算することができる。気分で変化したスコアは、その人物の気分又は感情状態に基づいてスコアを高くする又は低くすることにより計算することができ、次いで、この変化したスコアが、スコア付けで用いられる推奨／批判尤度スコアとなる。人物の気分又は感情は、人物から予め同意を得て、その位置にある生理学的センサから人間測定規準を測定することによって判定することができる。生理学的センサは、ある人物の生物学的測定規準を、例えば、皮膚に接触して皮膚の温度、水分、及び伝導率を測定するセンサを介して、又は、顔の表情又は身体言語を記録して解釈するカメラを介して、物理的にモニタすることができる。消費者の感情状態を示すことができるソーシャル・ネットワーク情報を含む、その他の人間測定規準を収集することができる。ソーシャル・ネットワーク情報へのアクセスは、その人物による同意を必要とする。
【００６２】
さらに、気分の実施形態の態様は、そこに居る１人の人物の推奨／批判尤度スコアがその人物の気分によって一時的に変化するだけではなく、その場にいる人物群の気分の総計によっても同様に変化するように、さらに強化することができる。従って、人物の気分で変化したスコアを計算する際に、システムは、ある人物が製品を推奨する又は非難する有効性がその場にいる他の人物の気分によってさらに影響を受ける程度を考慮に入れることができる。このことはまた、その場にいる他の人物の何人か又は全員について、利用可能ないかなる推奨／批判尤度スコア・データも存在しないような事例にも対処する。
【００６３】
広告を行うときに、本方法は、企業の推奨／批判尤度スコア・データベースを、その場にいる人々の記録で自動的に更新することができる。企業はまた、製品の販売実績をデータベース内に記録することもできる。次いで、その場にいる人物群についての総計スコアを、同じ又は類似の状況でそのような販売実績に影響を与えた彼らの履歴追跡記録に基づいて各人物の推奨／批判尤度スコアに重み付けすることによって判定することができる。
【００６４】
これは、その場にいる各々の人物がその場にいる他の各々の人物の購入意思決定に対して履歴的に影響を与えた程度を考慮すること、及び、それにより各々の関係の正味の影響に基づいて推奨／批判尤度スコアに異なった重み付けをすることにより、さらに強化することができる。その場にいる人物の各々が、以前に別の機会にその場にいて製品を推薦し、その以前の機会の結果としてその以前の時にその場にいた別の人物に対するその製品の販売に至った又は至らなかった程度を考慮することができる。さらに、総計推奨／批判尤度スコアの判定に際して、製品の潜在的な購入者として特定的に識別された、その場にいる任意の人物との関係に対して、さらに大きな重みを与えることができる。
【００６５】
上記方法は、勧誘電話（例えばコールド・コール）による広告を含むことができる。例えば、公益事業会社は、潜在的な新規顧客に対して顧客サービス担当係にコールド・コールを掛けさせることができ、こうした顧客は電話呼分配システムによって自動的に識別されることになる。かかるシステムは、位置ベースのサービスに照会して、その位置に誰か他者がいるかどうか判定することができる。公益事業会社は、その他者の推奨／批判尤度スコアを有するデータベースを有する場合があり、その場合、呼分配システムは、同じ位置に正味推奨者（ネット・プロモーター）もいる、見込みのある新規顧客への発信を優先順位付けすることができる。
【００６６】
図４を参照すると、ブロック図は、上記システム３００の例示的な実施形態を示す。
【００６７】
広告対象製品に関して所与の位置及び時間に対して複数の候補広告を提供するための候補広告コンポーネント３１１を含む、広告優先順位付けシステム３１０を提供することができる。位置選択コンポーネント３１２は、広告を呈示する又は行う所与の位置を選択することができる。
【００６８】
所与の位置にいる人物を識別するために、人物識別コンポーネント３１３を設けることができる。これは、図３との関連で説明したように、随意に位置ベースのサービスのサーバにアクセスすることを含む、種々の手法で行うことができる。
【００６９】
各々の識別された人物について、候補広告の中で広告されている各製品に関する推奨／批判尤度スコア、例えばネット・プロモーター・スコア（ＮＰＳ）（利用可能である場合）を取得するために、スコア取得コンポーネント３１４を設けることができる。これらのスコアは、広告されている製品を広告する又は販売する企業の企業データベース３２０から取得することができる。各製品は、記録された個人に関するスコア３２２、３２３を有するデータベース・エントリ３２１を有することができる。
【００７０】
その位置に広告の対象となるターゲット人物がいるかどうか判定するために、ターゲット人物判定コンポーネント３１５を設けることができる。
【００７１】
その位置にいる人々の取得した推奨／批判尤度スコアを総計するために、総計スコア・コンポーネント３１６を設けることができる。これは、ターゲットにされる人物の任意のスコアを含まないものとすることができる。個人のスコアに重み付けするために、重み付けを与えることができる。
【００７２】
重み付けは、種々のファクタを含むことができる。例えば、その場にいる人物間の関係をファクタにすることができる。これは、ソーシャル・ネットワーキング・データから判定することができる。別の例において、各広告は、スコアに重み付けするための予め定められた特性を有することができる。更なる実施形態は、スコアに重み付けするために人物の気分又は感情を用いることができる。
【００７３】
優先順位付けコンポーネント３１７は、総計された、随意に重み付けされたスコアに従って、候補広告を優先順位付けすることができる。付加的な優先順位付けファクタを含めることもできる。
【００７４】
その場にいる人物及び結果として得られた任意の製品販売実績の記録で企業データベース３２０を更新するために、データベース更新コンポーネント３１８を設けることができる。この履歴は、将来のスコア重み付けにおいて用いることができる。
【００７５】
図５を参照すると、本発明の態様を実装するための例示的なシステムは、バス・システム４０３を通じて直接的又は間接的にメモリ要素に結合された少なくとも１つのプロセッサ４０１を含む、プログラム・コードの格納及び／又は実行に適したデータ処理システム４００を含む。メモリ要素は、プログラム・コードの実際の実行中に使用されるローカル・メモリと、大容量記憶装置と、実行中に大容量記憶装置からコードを取得する回数を減らすために少なくとも幾つかのプログラム・コードを一時的に格納するキャッシュ・メモリとを含むことができる。
【００７６】
メモリ要素は、読み出し専用メモリ（ＲＯＭ）４０４及びランダム・アクセス・メモリ（ＲＡＭ）４０５の形態の、システム・メモリ４０２を含むことができる。基本入力／出力システム（ＢＩＯＳ）４０６は、ＲＯＭ４０４内に格納することができる。オペレーション・システム・ソフトウェア４０８を含むシステム・ソフトウェア４０７は、ＲＡＭ４０５内に格納することができる。ソフトウェア・アプリケーション４１０もまた、ＲＡＭ４０５内に格納することができる。
【００７７】
システム４００はまた、磁気ハード・ディスク・ドライブのような一次ストレージ手段４１１と、磁気ディスク・ドライブ及び光ディスク・ドライブのような二次ストレージ手段４１２とを含むことができる。ドライブ及び関連付けられたコンピュータ可読媒体は、コンピュータ実行可能命令、データ構造、プログラム・モジュール、及びシステム４００のための他のデータの、不揮発性ストレージを提供する。ソフトウェア・アプリケーションは、一次ストレージ手段４１１及び二次ストレージ手段４１２並びにシステム・メモリ４０２上に格納することができる。
【００７８】
コンピューティング・システム４００は、ネットワーク化された環境内で、ネットワーク・アダプタ４１６を介した１つ又は複数の遠隔コンピュータとの論理接続を用いて動作することができる。
【００７９】
入力／出力デバイス４１３は、直接、又は介在するＩ／Ｏコントローラを通じて、システムに結合することができる。ユーザは、キーボード、ポインティング・デバイス、又は他の入力デバイス（例えば、マイクロフォン、ジョイスティック、ゲームパッド、衛星通信用アンテナ、スキャナなど）といった入力装置を通じて、システム４００にコマンド及び情報を入力することができる。出力装置は、スピーカ、プリンタなどを含むことができる。表示デバイス４１４も、ビデオ・アダプタ４１５などのインターフェースを介してシステム・バス４０３に接続される。
【００８０】
位置及び広告の配信の代替的な形態に基づく更なる実施形態及び実施例が以下に与えられる。
【００８１】
１つの実施形態において、広告は、共通の物理的位置にいる人々に対するものである。これは上で詳細に説明されている。
【００８２】
別の実施形態において、広告は、共通の仮想位置にいる人々に対するものであり、その位置は、インターネットのチャットルーム、仮想会議、又は他の仮想形態とすることができる。物理位置における実施形態の場合と同じステップを辿るが、但し以下の条件を伴う。
【００８３】
幾つかの広告は、仮想位置にいる全ての人々に対して呈示される候補である（製品を推薦する議論を促す目的のため）。他の広告は、その場にいる人々の選択されたグループ又は個人に対して呈示されるものとすることができる。
【００８４】
仮想位置にいる人々の識別情報は、その仮想位置にアクセスするための条件として提供された彼らの識別情報、及び、彼らが任意に共有することを選択した他の識別属性（例えば、電子メール・アカウント、ソーシャル・ネットワーク識別情報、携帯電話番号、氏名、住所、等）との関連付けによって判定することができる。
【００８５】
仮想位置を制御するシステム（例えば、ウェブサイト位置にあるサーバ）は、推奨／批判尤度スコアの照会を開始し、計算を行い、上記アルゴリズムに基づいて、再生する広告を選択することができる。
【００８６】
更なる実施形態において、広告を呈示することは、共通の物理位置にいる人々に対する「コールド」販売勧誘電話によるものとすることができる（すなわち、その場にいる他者が正味の推奨者であれば、そのときに電話を掛け、又は、その場にいる他者が正味の批判者であれば、別のときに電話を掛ける）。
【００８７】
公益事業会社のために働く顧客サービス担当者（ＣＳＲ）の場合を考える。着信の数が減り、ＣＳＲが発信する販売勧誘電話を掛ける機会が生じる。公益事業会社の社内システムを前提とし、掛ける電話番号を自動的に選択し、電話を掛け、ＣＳＲに勧誘ターゲット消費者に関する関連情報を提供する。勧誘ターゲット消費者は、明らかに見込みのある顧客でなければならない（これを判定するための多くの手法があり、例えば、固定電話を有しており現在のところは顧客ではない、等である）。候補となる勧誘ターゲット消費者をポール及びニールとする。ミックが現在ポールを訪問中である（彼らは同じ位置にいる）。ミックは、この公益事業の正味批判者である。ジャックが現在ニールを訪問中である（彼らは同じ位置にいる）。ジャックは、この公益事業の推奨者である。今すぐニールを勧誘する方が、ジャックからの推薦を促すかもしれないので、はるかに効果的であろう。今すぐポールを勧誘するのは、ミックからの批判を促すかもしれないので、効果はかなり低いはずである。
【００８８】
このコールド・コールの実施形態のシステムは、広告の選択の方法に従うものとすることができるが、但しこの場合には、「広告」は、人から人への販売勧誘であり、システムは、上述のステップに基づいて自動的にターゲットを選択する。この実施形態では、発信呼分配システムが、推奨／批判尤度スコア照会を開始し、計算を行い、販売勧誘ターゲットを選択することができる。
【００８９】
この実施形態の別の変形は、販売勧誘が、人の家への戸別訪問、さらには公共区域にいる人に近寄ることによって行われる場合である。この場合には、販売外交員に遠隔で指示する集中派遣システムが、推奨／批判尤度スコア照会を開始し、計算を行い、販売勧誘ターゲットを選択することになる。
【００９０】
更なる実施形態において、広告は、電話の通話（音声又はマルチメディア）に関与する人物に対して、その通話の他方の人物の推奨／批判尤度スコアに基づいて行うことができる。この実施形態は、呼に対する応答の前に（例えば、呼出音の代わりに）、又は端末間接続に先立つ他のステップの前に、発呼者に対して広告が再生される場合を含むことができる。
【００９１】
この電話の実施形態は、上述の仮想位置の場合の実施形態に類似している。呼に対する応答の前に（例えば、呼出音の代わりに）発呼者に対して広告が再生されるような変形は、広告を再生する電話ノードに呼を経路指定することによって一時的な音声広告の挿入をトリガし、その後（又は、被呼側の応答若しくは他の中断イベントが生じると）、呼をその意図した宛先に経路指定する、インテリジェント・ネットワーク（ＩＮ）、例えば３ｇｐｐ  ＣＡＭＥＬを用いて行うことができる。本発明は、全体がハードウェアの実施形態、全体がソフトウェアの実施形態、又はハードウェア要素とソフトウェア要素の両方を含む実施形態の形態を取ることができる。好ましい実施形態において、本発明は、ファームウェア、常駐ソフトウェア、マイクロコードなどを含むがこれらに限定されないソフトウェアとして実装される。
【００９２】
本発明は、コンピュータ又は任意の命令実行システムによる又はこれらと関連した使用のためのプログラム・コードを与えるコンピュータ使用可能又はコンピュータ可読媒体からアクセス可能なコンピュータ・プログラム製品の形態を取ることができる。この説明の目的で、コンピュータ使用可能又はコンピュータ可読媒体は、命令実行システム、装置又はデバイスによる又はこれらと関連した使用のためのプログラムを収容、格納、通信、伝搬、又は搬送することができる任意の装置とすることができる。
【００９３】
媒体は、電子的、磁気的、光学的、電磁気的、赤外線、若しくは半導体のシステム、又は伝搬媒体とすることができる。コンピュータ可読媒体の例としては、半導体又は固体メモリ、磁気テープ、取外し可能コンピュータディスケット、ランダム・アクセス・メモリ（ＲＡＭ）、読み出し専用メモリ（ＲＯＭ）、剛性磁気ディスク及び光ディスクが挙げられる。現在の光ディスクの例としては、コンパクトディスク読出し専用メモリ（ＣＤ−ＲＯＭ）、コンパクトディスク読出し／書込み（ＣＤ−Ｒ／Ｗ）、及びＤＶＤが挙げられる。
【００９４】
本発明の範囲から逸脱することなく、上記の事項に対して改良及び変更を行うことができる。
【００９５】
コンピュータ可読信号媒体は、例えばベースバンド内に、又は搬送波の一部として、具体化されたコンピュータ可読プログラム・コードをその中に有する、伝搬されるデータ信号を含むことができる。このような伝搬信号は、これらに限定されるものではないが、電磁気、光又はそれらのいずれかの適切な組み合わせを含む、種々の形態のいずれかを取ることができる。コンピュータ可読信号媒体は、コンピュータ可読記憶媒体ではなく、かつ、命令実行システム、装置若しくはデバイスによる、又はこれらと関連した使用のためのプログラムを通信し、伝搬し、又は搬送することができる任意のコンピュータ可読媒体とすることができる。
【００９６】
コンピュータ可読媒体上に具体化されたプログラム・コードは、これらに限定されるものではないが、無線、有線、光ファイバ・ケーブル、ＲＦ等、又は上記のもののいずれかの適切な組み合わせを含む、任意の適切な媒体を用いて伝送することができる。本発明の態様の動作を実行するためのコンピュータ・プログラム・コードは、Ｊａｖａ（登録商標）、ＳｍａｌｌＴａｌｋ、Ｃ＋＋等のようなオブジェクト指向型プログラミング言語、及び、「Ｃ」プログラミング言語又は同様のプログラミング言語のような従来の手続き型プログラミング言語を含む、１つ又は複数のプログラミング言語のいずれかの組み合わせで記述することができる。プログラム・コードは、完全にユーザのコンピュータ上で実行される場合もあり、一部がユーザのコンピュータ上で、独立型ソフトウェア・パッケージとして実行される場合もあり、一部がユーザのコンピュータ上で実行され、一部が遠隔コンピュータ上で実行される場合もあり、又は完全に遠隔コンピュータ若しくはサーバ上で実行される場合もある。後者のシナリオにおいて、遠隔コンピュータは、ローカル・エリア・ネットワーク（ＬＡＮ）若しくは広域ネットワーク（ＷＡＮ）を含むいずれかのタイプのネットワークを通じてユーザのコンピュータに接続される場合もあり、又は外部コンピュータへの接続が為される場合もある（例えば、インターネット・サービス・プロバイダを用いたインターネットを通じて）。Ｊａｖａ及び全てのＪａｖａベースの商標及びロゴは、Ｏｒａｃｌｅ及び／又はその系列会社の商標又は登録商標である。
【００９７】
本発明の態様は、本発明の実施形態による方法、装置（システム）及びコンピュータ・プログラム製品のフローチャート図及び／又はブロック図を参照して説明される。フローチャート図及び／又はブロック図の各ブロック、並びにフローチャート図及び／又はブロック図内のブロックの組み合わせは、コンピュータ・プログラム命令によって実装できることが理解されよう。これらのコンピュータ・プログラム命令を、汎用コンピュータ、専用コンピュータ、又は他のプログラム可能データ処理装置のプロセッサに与えてマシンを製造し、それにより、コンピュータ又は他のプログラム可能データ処理装置のプロセッサによって実行される命令が、フローチャート及び／又はブロック図の１つ又は複数のブロック内で指定された機能／動作を実装するための手段を作り出すようにすることができる。
【００９８】
これらのコンピュータ・プログラム命令を、コンピュータ、他のプログラム可能データ処理装置、又は他のデバイスを特定の方式で機能させるように指示することができるコンピュータ可読媒体内に格納し、それにより、そのコンピュータ可読媒体内に格納された命令が、フローチャート及び／又はブロック図の１つ又は複数のブロックにおいて指定された機能／動作を実装する命令を含む製品を製造するようにすることもできる。
【００９９】
コンピュータ・プログラム命令を、コンピュータ、他のプログラム可能データ処理装置、又は他のデバイス上にロードして、一連の動作ステップをコンピュータ、他のプログラム可能データ処理装置、又は他のデバイス上で行わせてコンピュータ実施のプロセスを生成し、それにより、コンピュータ又は他のプログラム可能装置上で実行される命令が、フローチャート及び／又はブロック図の１つ又は複数のブロックにおいて指定された機能／動作を実行するためのプロセスを提供するようにすることもできる。
【０１００】
図面内のブロック図は、本発明の種々の実施形態による、システム、方法、及びコンピュータ・プログラム製品の可能な実装の、アーキテクチャ、機能及び動作を示す。この点に関して、フローチャート又はブロック図内の各ブロックは、指定された論理機能を実装するための１つ又は複数の実行可能命令を含む、モジュール、セグメント、又はコードの一部を表すことができる。幾つかの代替的な実装において、ブロック内に記された機能は、図に記された順序とは異なる順序で生じることがあることにも留意されたい。例えば、連続して示された２つのブロックは、関与する機能に応じて、実際には実質的に同時に実行されることもあり、又はこれらのブロックはときとして逆順で実行されることもある。ブロック図及び／又はフローチャート図の各ブロック、及びブロック図及び／又はフローチャート図内のブロックの組み合わせは、指定された機能又は動作を実行する専用ハードウェア・ベースのシステム、又は専用のハードウェアとコンピュータ命令との組み合わせによって実装することができることにも留意されたい。
【０１０１】
疑義を避けるために、ここで説明及び特許請求の範囲全体を通じて用いられる「含む」という用語は、「〜のみから成る」ことを意味するものと解釈すべきではない。
【符号の説明】
【０１０２】
１００、１５０、３００：システム
１０１Ａ、１０１Ｂ、１０２Ａ、１０２Ｂ、１０３Ａ、１０３Ｂ、１０４Ａ：人物
１０４Ｂ：ターゲット人物
１１０：位置
【図１】
2015531131.tif 000003
【図２】
2015531131.tif 000004
【図３】
2015531131.tif 000005
【図４】
2015531131.tif 000006
【図５】
2015531131.tif 000007
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
位置に関して広告を優先順位付けするための方法であって、
前記位置にいる１人以上の人物を識別することと、
前記位置に関して、製品集合に関連付けられた広告集合を識別することと、
前記位置にいる、前記広告の対象とすべきターゲット人物を識別することと、
前記１人以上の人物について、該人物が前記製品集合の各々を推奨する又は批判する尤度を示すスコアを判定することであって、前記１人以上の人物の前記スコアを判定することが、前記ターゲット人物を除外する又は重み付けする、ことと、
前記集合の中の前記広告を、前記広告の前記製品に関する前記１人以上の人物の総計スコアに従って優先順位付けすることと、
を含む方法。
【請求項２】
前記スコアを判定することは、ある製品に関するある人物のネット・プロモーター・スコア又はその他の形態の既存の支持スコアを探索する、請求項１に記載の方法。
【請求項３】
前記位置は、物理的位置又は仮想位置の群のうちの１つである、前記請求項のいずれかに記載の方法。
【請求項４】
前記集合の中の前記広告を前記総計スコアに従って優先順位付けすることは、付加的ファクタに基づいて前記スコアに重み付けすることを含む、前記請求項のいずれか１項に記載の方法。
【請求項５】
前記１人以上の人物間、又はターゲット人物と前記１人以上の人物との間の関係の強さを判定することと、
前記製品に関する前記人物の前記スコアの重み付けにおいて、前記関係の強さを用いることと、
を含む、請求項４に記載の方法。
【請求項６】
前記総計スコアの計算に影響を与える、候補広告に関する特性を設定すること、
を含む、前記請求項のいずれか１項に記載の方法。
【請求項７】
前記１人以上の人物の気分を識別し、これを、前記広告を優先順位付けすることにおいてファクタとして用いること、
を含む、前記請求項のいずれか１項に記載の方法。
【請求項８】
前記１人以上の人物の集団的気分を識別し、これを、前記広告を優先順位付けすることにおいてファクタとして用いること、
を含む、前記請求項のいずれか１項に記載の方法。
【請求項９】
製品に関する広告が呈示されたときにその場にいる人物の記録を保持することと、
以前の前記製品の推薦又は批判に基づいて前記広告を優先順位付けすることにおけるファクタとして、前記記録にアクセスすることと、
を含む、前記請求項のいずれか１項に記載の方法。
【請求項１０】
広告の呈示後に製品に対して為された購入、及び、その場にいた人物の記録を保持することと、
以前の前記製品の販売実績に基づいて前記広告を優先順位付けすることにおけるファクタとして、前記記録にアクセスすることと、
を含む、前記請求項のいずれか１項に記載の方法。
【請求項１１】
異なる位置にいる２人以上のターゲット人物を識別することと、
各位置の前記総計スコアに基づいて前記ターゲット人物のうちの誰に広告を呈示するかを決定することと、
を含む、前記請求項のいずれか１項に記載の方法。
【請求項１２】
位置に関して広告を優先順位付けするためのシステムであって、
前記位置にいる１人以上の人物を識別するための人物識別コンポーネントと、
前記位置にいる前記広告の対象とすべきターゲット人物を識別するためのターゲット人物判定コンポーネントと、
前記位置に関して、製品集合に関連付けられた広告集合を識別するための候補広告コンポーネントと、
前記１人以上の人物について、該人物が前記製品集合の各々を推奨する又は批判する尤度を示すスコアを判定するためのスコア取得コンポーネントであって、前記スコア取得コンポーネントが、前記ターゲット人物を除外して又は重み付けして前記１人以上の人物のスコアを判定するように動作可能である、スコア取得コンポーネントと、
前記集合の中の前記広告を、前記広告の製品に関する前記１人以上の人物の総計スコアに従って優先順位付けするための優先順位付けコンポーネントと、
を含むシステム。
【請求項１３】
前記スコアを判定するためのスコア取得コンポーネントは、ある製品に関するある人物のネット・プロモーター・スコア又はその他の形態の既存の支持スコアを探索する、請求項１２に記載のシステム。
【請求項１４】
前記集合の中の前記広告を前記総計スコアに従って優先順位付けするための優先順位付けコンポーネントは、付加的ファクタに基づいて前記スコアに重み付けすることを含む、請求項１２又は請求項１３のいずれかに記載のシステム。
【請求項１５】
製品に関する広告が呈示されたときにその場にいる人物の記録を保持するため、並びに、広告の呈示後に製品に対して為された購入、及び、その場にいた人物の記録を保持するための、データベース更新コンポーネントを含む、請求項１２乃至請求項１４のいずれか１項に記載のシステム。
【請求項１６】
位置に関して広告を優先順位付けするためのコンピュータ・プログラムであって、
処理回路により読み出し可能であり、請求項１乃至請求項１１のいずれかに記載の方法を実施するために前記処理回路が実行する命令を含む、コンピュータ・プログラム。
【国際調査報告】
2015531131.tif 000008